Podtech/llm-jp-corpus-v4-ja_patent huggingface dataset:
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
有効量のラパマイシンを含む、哺乳動物における細胞再生後の細胞死抑制のための医薬組成物。
【請求項２】
細胞再生が、冠状動脈の病気、鬱血性心不全、糖尿病（Ｉ型およびＩＩ型）、アルツハイマー病、痴呆、記憶喪失、リューマチ性関節炎、ニューロパシー、軟骨の病気、または脊髄の傷害あるいは変性により引き起こされる細胞または組織の損傷後に起こるものである、請求項１記載の医薬組成物。
【請求項３】
ラパマイシンがラパマイシンである請求項１または請求項２記載の医薬組成物。
【請求項４】
ラパマイシンがラパマイシンのエステル、エーテル、オキシム、ヒドラゾン、またはヒドロキシルアミンである請求項１または請求項２記載の医薬組成物。
【請求項５】
ラパマイシンがラパマイシンの４２−エステルまたは４２−エーテルである請求項４記載の医薬組成物。
【請求項６】
ラパマイシンが３−ヒドロキシ−２−（ヒドロキシメチル）−２−メチルプロピオン酸とのラパマイシン４２−エステルである請求項５記載の医薬組成物。
【請求項７】
ラパマイシンが４２−Ｏ−（２−ヒドロキシ）エチルラパマイシンである請求項５記載の医薬組成物。
【請求項８】
膵臓β細胞、血管組織、心臓組織、ニューロンを包含する脳細胞、肝細胞、肝臓細胞、皮膚細胞、骨細胞および脊髄組織の細胞再生後におけるかかる細胞または組織の細胞死抑制を必要とする哺乳動物における細胞死抑制のための医薬組成物であって、有効量のラパマイシンを含む医薬組成物。
【請求項９】
ラパマイシンがラパマイシンである請求項８記載の医薬組成物。
【請求項１０】
ラパマイシンがラパマイシンのエステル、エーテル、オキシム、ヒドラゾン、またはヒドロキシルアミンである請求項８記載の医薬組成物。
【請求項１１】
ラパマイシンがラパマイシンの４２−エステルまたは４２−エーテルである請求項１０記載の医薬組成物。
【請求項１２】
ラパマイシンが３−ヒドロキシ−２−（ヒドロキシメチル）−２−メチルプロピオン酸とのラパマイシン４２−エステルである請求項１１記載の医薬組成物。
【請求項１３】
ラパマイシンが４２−Ｏ−（２−ヒドロキシ）エチルラパマイシンである請求項１１記載の医薬組成物。
【請求項１４】
細胞再生促進を必要とする哺乳動物における細胞再生促進のための医薬組成物であって、有効量のラパマイシンを含む医薬組成物。
【請求項１５】
ラパマイシンがラパマイシンである請求項１４記載の医薬組成物。
【請求項１６】
ラパマイシンがラパマイシンのエステル、エーテル、オキシム、ヒドラゾン、またはヒドロキシルアミンである請求項１４記載の医薬組成物。
【請求項１７】
ラパマイシンがラパマイシンの４２−エステルまたは４２−エーテルである請求項１６記載の医薬組成物。
【請求項１８】
ラパマイシンが３−ヒドロキシ−２−（ヒドロキシメチル）−２−メチルプロピオン酸とのラパマイシン４２−エステルである請求項１７記載の医薬組成物。
【請求項１９】
ラパマイシンが４２−Ｏ−（２−ヒドロキシ）エチルラパマイシンである請求項１７記載の医薬組成物。
【請求項２０】
哺乳動物における細胞再生後の細胞死を抑制するための医薬の製造のためのラパマイシンの使用。
【請求項２１】
哺乳動物における膵臓β細胞、血管組織、心臓組織、ニューロンを包含する脳細胞、肝細胞、肝臓細胞、皮膚細胞、骨細胞および脊髄組織の細胞再生後におけるかかる細胞または組織の細胞死を抑制するための医薬の製造のためのラパマイシンの使用。
【請求項２２】
哺乳動物における細胞再生促進のための医薬の製造のためのラパマイシンの使用。
【請求項２３】
ラパマイシンがラパマイシンである請求項２０〜２２のいずれか１項記載の使用。
【請求項２４】
ラパマイシンがラパマイシンのエステル、エーテル、オキシム、ヒドラゾン、またはヒドロキシルアミンである請求項２０〜２２のいずれか１項記載の使用。
【請求項２５】
ラパマイシンがラパマイシンの４２−エステルまたは４２−エーテルである請求項２４記載の使用。
【請求項２６】
ラパマイシンが３−ヒドロキシ−２−（ヒドロキシメチル）−２−メチルプロピオン酸とのラパマイシン４２−エステルである請求項２５記載の使用。
【請求項２７】
ラパマイシンが４２−Ｏ−（２−ヒドロキシ）エチルラパマイシンである請求項２５記載の使用。
【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
（Ｒ）−６−［２−［４−（３−フルオロフェニル）−４−ヒドロキシ−１−ピペリジニル］−１−ヒドロキシエチル］−３，４−ジヒドロ−２（１Ｈ）−キノリノンもしくはこのような化合物の医薬として許容されるエステル、またはその医薬として許容される塩である化合物。
【請求項２】
医薬として使用するための請求項１に記載の化合物。
【請求項３】
請求項１に記載の化合物もしくはこのような化合物の医薬として許容されるエステル、またはその医薬として許容される塩を、医薬上で許容される賦形剤、稀釈剤または担体とともに含有する医薬組成物。
【請求項４】
哺乳動物対象におけるＮＭＤＡ  ＮＲ２Ｂレセプターの過剰活性により発症する疾病状態を処置するための医薬組成物であって、治療有効量の請求項１に記載の化合物もしくはこのような化合物の医薬として許容されるエステル、またはその医薬として許容される塩を含有する、上記医薬組成物。
【請求項５】
疾病状態が、発作または脳損傷、慢性神経変性性疾病、例えばパーキンソン病、アルツハイマー病、ハンチントン病または筋萎縮性側索硬化症（ＡＬＳ）、てんかん症、痙攣性障害、疼痛、不安症、ヒト免疫不全ウイルス（ＨＩＶ）関連神経損傷、片頭痛、うつ病、統合失調症、腫瘍、麻酔後認識減退（ＰＡＣＤ）、緑内障、耳鳴、遅発性ジスキネジー、アレルギー性脳脊髄炎、オピオイド耐性、薬物乱用またはアルコール乱用であり、治療有効量の請求項１に記載の化合物もしくはこのような化合物の医薬として許容されるエステル、またはその医薬として許容される塩を含有する、請求項４に記載の医薬組成物。
【請求項６】
疼痛、発作、外傷性脳損傷、パーキンソン病、アルツハイマー病、うつ病、不安症または片頭痛を処置するための、請求項５に記載の医薬組成物。
【請求項７】
疼痛、発作、外傷性脳損傷、パーキンソン病、アルツハイマー病、うつ病、不安症または片頭痛を処置するための医薬の製造における、請求項１に記載の化合物もしくはこのような化合物の医薬として許容されるエステル、またはその医薬として許容される塩の使用。
【手続補正書】
【提出日】平成18年1月4日(2006.1.4)
【手続補正１】
【補正対象書類名】特許請求の範囲
【補正対象項目名】請求項５
【補正方法】変更
【補正の内容】
【請求項５】
半合成バイオポリマーが、アルデヒド、ジアミン又はジェランで架橋されたコラーゲンからなる群より選択される、請求項２記載の使用。
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
対象における内因性エリスロポエチン（EPO）を増加させるための、低酸素誘導性因子のαサブユニット（HIFα）のヒドロキシル化を抑制する化合物を含む医薬組成物において、化合物が下記式Ib
【化１】
2005524612.tif 000001
式中、
AはCH2、
Bは-CO2H、
XはO、
QはO、
R4は水素、
R3は水素または塩素、
R16は水素、ならびに、
R17、R18、およびR19は、同一または異なって、水素、ヒドロキシル、ハロゲン、シアノ、トリフルオロメチル、(C1-C20)-アルキル、(C1-C20)-アルコキシ、(C6-C12)-アリールオキシ、または(C7-C16)-アルアルキルオキシであり、ここにおいてアリール基が、ヒドロキシル、(C2-C16)-アルキル、(C1-C16)-アルコキシ、および-O-[CH2]x-CfH(2f+l-g)Fg（Xは0または1、fは1〜5、およびgは1〜(2f+1)である）よりなる群から選ばれる1〜5個の置換基により置換されていてもよい、イソキノリンカルボキサミド、またはそれらの生理的に活性な塩である、医薬組成物。
【請求項２】
化合物が、N-((1-クロロ-4-ヒドロキシ-7-(2-プロピルオキシ)イソキノリン-3-イル)-カルボニル)-グリシン、N-((7-ブロモ-4-ヒドロキシ-イソキノリン-3-カルボニル)-アミノ)-酢酸、N-((1-クロロ-4-ヒドロキシ-6-(2-プロピルオキシ)イソキノリン-3-イル)-カルボニル)-グリシン、N-((1-クロロ-4-ヒドロキシ-7-メトキシイソキノリン-3-イル)-カルボニル)-グリシン、N-((1-クロロ-4-ヒドロキシ-6-メトキシイソキノリン-3-イル)-カルボニル)-グリシン、[(7-ブトキシ-1-クロロ-4-ヒドロキシ-イソキノリン-3-カルボニル)-アミノ]-酢酸、N-((7-ベンジルオキシ-1-クロロ-4-ヒドロキシイソキノリン-3-イル)-カルボニル)-グリシン、N-((6-ベンジルオキシ-1-クロロ-4-ヒドロキシイソキノリン-3-イル)-カルボニル)-グリシン、[(1-クロロ-4-ヒドロキシ-イソキノリン-3-カルボニル)-アミノ]-酢酸、N-((8-クロロ-4-ヒドロキシイソキノリン-3-イル)-カルボニル)-グリシン、[(4-ヒドロキシ-7-イソプロポキシ-イソキノリン-3-カルボニル)-アミノ]-酢酸、および[(7-ブトキシ-4-ヒドロキシ-イソキノリン-3-カルボニル)-アミノ]-酢酸よりなる群から選ばれる、請求項１記載の組成物。
【請求項３】
化合物が、N-((1-クロロ-4-ヒドロキシ-7-メトキシイソキノリン-3-イル)-カルボニル)-グリシン、[(1-クロロ-4-ヒドロキシ-イソキノリン-3-カルボニル)-アミノ]-酢酸、[(4-ヒドロキシ-7-イソプロポキシ-イソキノリン-3-カルボニル)-アミノ]-酢酸、[(7-ブトキシ-4-ヒドロキシ-イソキノリン-3-カルボニル)-アミノ]-酢酸、またはN-((1-クロロ-4-ヒドロキシ-7-(2-プロピルオキシ)イソキノリン-3-イル)-カルボニル)-グリシンである、請求項１記載の組成物。
【請求項４】
化合物が、HIFプロリルヒドロキシラーゼ酵素活性を抑制することによってHIFαのヒドロキシル化を抑制する、請求項１記載の組成物。
【請求項５】
HIFαが、HIF-1α、HIF-2α、HIF-3αおよびそれらの任意の断片よりなる群から選ばれる、請求項1記載の組成物。
【請求項６】
HIFαが対象にとって内因性である、請求項1記載の組成物。
【請求項７】
HIFプロリルヒドロキシラーゼ酵素が、EGLN1、EGLN2、EGLN3およびそれらの任意のサブユニットまたは断片よりなる群から選ばれる、請求項4記載の組成物。
【請求項８】
対象におけるEPO関連障害を治療、予防または前治療するための、請求項１記載の組成物。
【請求項９】
対象における貧血を治療、予防または前治療するための、請求項１記載の組成物。
【請求項１０】
貧血がヘモグロビンまたは赤血球の異常に関連している、請求項９記載の組成物。
【請求項１１】
貧血が、糖尿病、癌、潰瘍、腎臓病、免疫抑制性疾患、感染および炎症よりなる群から選ばれる状態に関連している、請求項９記載の組成物。
【請求項１２】
貧血が、放射線療法、化学療法、透析および手術よりなる群から選ばれる処置または治療に関連している、請求項９記載の組成物。
【請求項１３】
貧血が失血に関連している、請求項９記載の組成物。
【請求項１４】
失血が出血障害、外傷、損傷または手術に関連している、請求項１３記載の組成物。
【請求項１５】
貧血が鉄の輸送、処理または利用における欠陥に関連している、請求項９記載の組成物。
【請求項１６】
対象に投与するための、鉄サプリメント、ビタミンB12、葉酸、外因性エリスロポエチンおよび顆粒球コロニー刺激因子よりなる群から選ばれる化合物を更に含む、請求項９記載の組成物。
【請求項１７】
対象における神経障害を治療、予防または前治療するための、請求項１記載の組成物。
【請求項１８】
神経障害が、脳梗塞、外傷、てんかん及び神経変性疾患よりなる群から選ばれる状態に関連している、請求項１７記載の組成物。
【請求項１９】
化合物が経口製剤として送達されるものである、請求項１記載の組成物。
【請求項２０】
化合物が経皮製剤として送達されるものである、請求項１記載の組成物。
【請求項２１】
インビボ（in vivo）で投与するための、請求項１記載の組成物。
【請求項２２】
インビトロ（in vitro）で投与するための、請求項１記載の組成物。
【請求項２３】
対象が動物である、請求項１記載の組成物。
【請求項２４】
対象が哺乳動物である、請求項１記載の組成物。
【請求項２５】
対象がヒトである、請求項１記載の組成物。
【請求項２６】
対象が細胞である、請求項１記載の組成物。
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、（−）−シス−９−エトキシ−８−メトキシ−２−メチル−１，２，３，４，４ａ，１０ｂ−ヘキサヒドロ−６−（４−ジイソプロピルアミノカルボニルフェニル）−ベンゾ−［ｃ］［１，６］ナフチリジン［ＩＮＮ：ＰＵＭＡＦＥＮＴＲＩＮＥ］およびこれらの製薬学的に認容性の誘導体から成る群から選択された第１の活性成分と、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択された第２の活性成分とを、混合物の形で含有する、医薬組成物。
【請求項２】
第１の活性成分および／または第２の活性成分が、製薬学的に認容性の塩、溶媒和物またはＮ−オキシドあるいは塩またはＮ−オキシドの溶媒和物の形である、請求項１に記載の医薬組成物。
【請求項３】
第１の活性成分が、３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、これらの製薬学的に認容性の塩、溶媒和物またはＮ−オキシドあるいはこれらの塩またはＮ−オキシドの溶媒和物から成る群から選択される、請求項１に記載の医薬組成物。
【請求項４】
第１の活性成分が、３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、これらの製薬学的に認容性の塩、溶媒和物またはＮ−オキシドあるいはこれらの塩またはＮ−オキシドの溶媒和物から成る群から選択され、かつ第２の活性成分が、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択される、請求項１に記載の医薬組成物。
【請求項５】
固定された経口投与剤組合せ物である、請求項１から４までのいずれか１項に記載の医薬組成物。
【請求項６】
呼吸器疾患を治療するための医薬の製造における、請求項１から５までのいずれか１項に記載の医薬組成物の使用。
【請求項７】
第１の活性成分と第２の活性成分とを混合する、請求項１から５までのいずれか１項に記載の医薬組成物の製造方法。
【請求項８】
３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、（−）−シス−９−エトキシ−８−メトキシ−２−メチル−１，２，３，４，４ａ，１０ｂ−ヘキサヒドロ−６−（４−ジイソプロピルアミノカルボニルフェニル）−ベンゾ−［ｃ］［１，６］ナフチリジン［ＩＮＮ：ＰＵＭＡＦＥＮＴＲＩＮＥ］およびこれらの製薬学的に認容性の誘導体から成る群から選択された第１の活性成分の製剤と、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択された第２の活性成分の製剤とを、治療において同時に、連続的にまたは別個に使用するための組合せ物の形で含有する医薬品。
【請求項９】
第１の活性成分および／または第２の活性成分が製薬学的に認容性の塩、溶媒和物、Ｎ−オキシドあるいは塩またはＮ−オキシドの溶媒和物の形である、請求項８に記載の医薬品。
【請求項１０】
第１の活性成分が、３−シクロプロピルメトキシ−４−ジフルオロメトキシ−Ｎ−（３，５−ジ−クロロピリド−４−イル）−ベンズアミド［ＩＮＮ：ＲＯＦＬＵＭＩＬＡＳＴ］、これらの製薬学的に認容性の塩、溶媒和物またはＮ−オキシドあるいはこれらの塩またはＮ−オキシドの溶媒和物から選択される、請求項８に記載の医薬品。
【請求項１１】
第１の活性成分が、３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、これらの製薬学的に認容性の塩、溶媒和物またはＮ−オキシドあるいはこれらの塩またはＮ−オキシドの溶媒和物から選択され、かつ第２の活性成分が、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択される、請求項８に記載の医薬品。
【請求項１２】
呼吸器疾患の治療のための医薬の製造における、請求項８から１１までのいずれか１項に記載の医薬品の使用。
【請求項１３】
３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、（−）−シス−９−エトキシ−８−メトキシ−２−メチル−１，２，３，４，４ａ，１０ｂ−ヘキサヒドロ−６−（４−ジイソプロピルアミノカルボニルフェニル）−ベンゾ−［ｃ］［１，６］ナフチリジン［ＩＮＮ：ＰＵＭＡＦＥＮＴＲＩＮＥ］およびこれらの製薬学的に認容性の誘導体から成る群から選択された第１の活性成分の製剤、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択された、第２の活性成分の製剤ならびにこれを必要とする患者に同時に、連続的にまたは別個に投与するための指示書を含むキット。
【請求項１４】
第１の活性成分および／または第２の活性成分が、製薬学的に認容性の塩、溶媒和物、Ｎ−オキシドあるいは塩またはＮ−オキシドの溶媒和物の形である、請求項１３に記載のキット。
【請求項１５】
第１の活性成分が、３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、製薬学的に認容性の塩、これらの溶媒和物またはＮ−オキシドあるいはこれらの塩またはＮ−オキシドの溶媒和物である、請求項１３に記載のキット。
【請求項１６】
第１の活性成分が、３−シクロプロピルメトキシ−４−ジフルオロメトキシ−Ｎ−（３，５−ジクロロピリド−４−イル）−ベンズアミド［ＩＮＮ：ＲＯＦＬＵＭＩＬＡＳＴ］、これらの製薬学的に認容性の塩、溶媒和物またはＮ−オキシドあるいはこれらの塩またはＮ−オキシドの溶媒和物から成る群から選択され、かつ第２の活性成分が、（＋／−）−［２−［４−（ｐ−クロロ−α−フェニルベンジル）−１−ピペラジニル］エトキシ］−酢酸［ＩＮＮ：ＣＥＴＩＲＩＺＩＮＥ］およびこれらの製薬学的に認容性の誘導体から成る群から選択される、請求項１３に記載のキット。
【請求項１７】
呼吸器疾患が、気管支炎、閉塞性気管支炎、痙攣性気管支炎、アレルギー性気管支炎、アレルギー性喘息、気管支喘息、ＣＯＰＤおよびアレルギー性鼻炎、季節性鼻炎または慢性鼻炎から成る群から選択される、請求項６から１２までのいずれか１項に記載の使用。
【誤訳訂正書】
【提出日】平成18年2月24日(2006.2.24)
【誤訳訂正１】
【訂正対象書類名】特許請求の範囲
【訂正対象項目名】請求項２８
【訂正方法】変更
【訂正の内容】
【請求項２８】
前記３時間以上の時間が、前記投与形態と水が接触する１〜２時間後に始まり、当該時間は、カルビドパの初期の一層急速な放出より前である請求項２６に記載の医薬投与形態。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
処置を必要とする患者の神経エントラップメント症候群を処置するための、治療に有効量のＢ型ボツリヌス毒素を含む処置剤。
【請求項２】
処置を必要とする患者の神経エントラップメント症候群による痛みを減らすための、治療に有効量のＢ型ボツリヌス毒素を含む処置剤。
【請求項３】
毒素が、針を通じた注射により投与される、請求項１または２に記載の処置剤。
【請求項４】
神経エントラップメント症候群が、梨状筋症候群、手根管症候群、肘部管症候群、および橈骨管症候群からなる群より選択される、請求項１または２に記載の処置剤。
【請求項５】
注射が、圧迫された神経に接する筋組織に対して行われる、請求項３に記載の処置剤。
【請求項６】
注射が、圧迫された神経のまわりの間質領域に対して行われる、請求項３に記載の処置剤。
【請求項７】
注射が、圧迫された神経を囲む結合組織に対して行われる、請求項３に記載の処置剤。
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
金属イオンの架橋を含む生体適合性の組成物であって、前記金属イオンの架橋が、第一金属結合ドメイン（MBD）を持つポリアミノ酸の担体と、前記担体の第一金属結合ドメインにキレートした金属イオンと、前記金属イオンにキレートした第二MBDを持つ活性物質と、前記ポリアミノ酸に共有結合した一つ以上の保護側鎖とを含み、本組成物の患者への投与後、前記活性物質が前記担体から放出される、生体適合性の組成物。
【請求項２】
前記ポリアミノ酸が約100乃至約1,000,000ダルトンまでの範囲の分子量を有する、請求項１に記載の組成物。
【請求項３】
前記ポリアミノ酸が約10,000乃至約250,000ダルトンまでの範囲の分子量を有する、請求項１に記載の組成物。
【請求項４】
前記担体がポリ-リジンを含む、請求項１に記載の組成物。
【請求項５】
前記保護側鎖がポリ（エチレングリコール）を含む、請求項１に記載の組成物。
【請求項６】
前記保護側鎖がアルコキシポリ（エチレングリコール）を含む、請求項１に記載の組成物。
【請求項７】
前記保護側鎖がメトキシポリ（エチレングリコール）(MPEG)を含む、請求項１に記載の組成物。
【請求項８】
前記第一又は第二MBDが、含窒素ポリカルボン酸を含む、請求項１に記載の組成物。
【請求項９】
前記第一又は第二MBDが、以下：
N-(ヒドロキシ-エチル)エチレンジアミン三酢酸；
ニトリロ三酢酸 (NTA)；
エチレン-ビス(オキシエチレン-ニトリロ)四酢酸；
1,4,7,10-テトラアザシクロド-デカン-N,N',N'',N'''-四酢酸；
1,4,7,10-テトラアザ-シクロドデカン-N,N',N''-三酢酸；
1,4,7-トリス(カルボキシメチル)-10-(2'-ヒドロキシプロピル)-1,4,7,10-テトラアゾシクロデカン；
1,4,7-トリアザシクロナン-N,N',N''-三酢酸；
1,4,8,11-テトラアザシクロテトラ-デカン-N,N',N'',N'''-四酢酸；
ジエチレントリアミン-五酢酸 (DTPA);
エチレンジシステイン；ビス(アミノエタンチオール)カルボン酸；
トリエチレンテトラアミン-六酢酸；
エチレンジアミン-四酢酸 (EDTA)；
1,2-ジアミノシクロヘキサン-N,N,N',N'-四酢酸；又は
ポリペプチド、
のうちの一つ以上を含む、請求項１に記載の組成物。
【請求項１０】
前記第一又は第二MBDがポリペプチドを含み、そして前記ポリペプチドが、式(AxHy)p （但し式中、A はいずれかのアミノ酸残基であり、Hはヒスチジンであり、xは0から6までの整数であり、yは1から6までの整数であり、そしてpは1から6までの整数である）を有する、請求項１３に記載の組成物。
【請求項１１】
前記金属イオンが遷移金属イオンである、請求項１に記載の組成物。
【請求項１２】
前記金属イオンが以下：Zn2+
、Ni2+ 、Co2+ 、Fe2+、Mn2+ 、又はCu2+のうちの１つ以上である、請求項１に記載の組成物。
【請求項１３】
前記活性物質が以下：診断剤、標的決定部分、又は治療剤のうちの１つである、請求項１に記載の組成物。
【請求項１４】
２種類以上の活性物質が存在する、請求項１に記載の組成物。
【請求項１５】
前記活性物質が、以下：タンパク質、ペプチド、ペプチドミメティック、デオキシリボ核酸、リボ核酸、他の核酸、オリゴヌクレオチド、オリゴ糖、又はプロテオグリカンのうちの１つ以上を含む、請求項１に記載の組成物。
【請求項１６】
前記担体がポリリジンを含み、前記保護側鎖がMPEGを含み、前記第一又は第二MBDがNTAを含み、前記金属イオンがNi2+であり、そして前記活性物質がrhGHである、請求項１に記載の組成物。
【請求項１７】
前記担体がポリリジンを含み、前記保護側鎖がMPEGを含み、前記第一又は第二MBDがNTAを含み、前記金属イオンがZn2+であり、そして前記活性物質がrhGHである、請求項１に記載の組成物。
【請求項１８】
請求項１に記載の組成物を含む医薬組成物。
【請求項１９】
前記医薬組成物がエーロゾルである、請求項２２に記載の医薬組成物。
【請求項２０】
金属イオンの架橋を含む生体適合性の組成物であって、前記金属イオンの架橋が、第一金属結合ドメイン（MBD）を持つ担体と、前記担体の第一金属結合ドメインにキレートした金属イオンと、前記金属イオンにキレートした第二MBDを持つ活性物質とを含む、生体適合性の組成物を、必要とする患者に投与するステップを含み、前記活性物質が診断剤である、診断の方法。
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
GLP-1化合物および１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５および５６から選ばれるデリバリー剤を含む医薬組成物。
【請求項２】
GLP-1化合物が、配列番号:1、配列番号:2、配列番号:3、配列番号:4、配列番号:5、配列番号:6、配列番号:7、配列番号:8、配列番号:9、配列番号:10、配列番号:11、配列番号:12、配列番号:13および配列番号:14から選ばれるGLP-1化合物である請求項１に記載の医薬組成物。
【請求項３】
医薬的に許容しうる緩衝液、懸濁剤、コソルベント、保存剤および等張化剤から選ばれる１つ以上の賦形剤をさらに含む請求項１または２に記載の医薬組成物。
【請求項４】
錠剤、カプセル剤または散剤などの粒剤などの固体の剤形である請求項１〜３のいずれか１つに記載の医薬組成物。
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
ヒトの体脂肪を減少させるための組成物であって、ホホバ製品から加水分解されて合成アグリコンを生成したシモンドシンを含有し、０．０５から６０グラム／日の量のシモンドシン成分を提供する用量で、ヒトの体脂肪を減らす期間に亘り投与されることを特徴とする組成物。
【請求項２】
食品中に含めて投与されることを特徴とする請求項１記載の組成物。
【請求項３】
ヒトの体脂肪および血中脂質レベルを減少させるための組成物であって、ホホバ製品から加水分解されてシモンドシン誘導体を生成したシモンドシンを含有し、ヒトの日々の規定食の総重量の０．０１％より多い量のシモンドシン誘導体を提供する用量で投与されることを特徴とする組成物。
【請求項４】
食品と組み合わせて投与されることを特徴とする請求項３記載の組成物。
【請求項５】
ヒトの体脂肪を減少させるための組成物であって、ホホバ製品から加水分解されたシモンドシン誘導体と、該シモンドシン誘導体と組み合わせた食品とを含有し、ヒトの体脂肪の減少を達成するシモンドシン誘導体の用量が約０．０５から６０グラム／日であることを特徴とする組成物。
【請求項６】
前記シモンドシン誘導体がアグリコンであることを特徴とする請求項５記載の組成物。
【請求項７】
前記食品およびシモンドシン誘導体が舌下投与可能であることを特徴とする請求項５記載の組成物。
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
グラム陽性細菌のペプチドグリカン（PepG）に選択的に結合する少なくとも1つのMAbの治療上の有効量を含み、該MAbが、患者への投与時に治療上有益な結果をもたらす医薬。
【請求項２】
投与により患者のグラム陽性細菌数が低減される、請求項1に記載の医薬。
【請求項３】
少なくとも1つのMAbが、ELISAにおいて背景と比べて少なくとも2倍大きいレベルでグラム陽性細菌のPepGと結合する、請求項1に記載の医薬。
【請求項４】
少なくとも1つのMAbが、グラム陽性細菌のオプソニン食作用を少なくとも50％増強する、請求項1に記載の医薬。
【請求項５】
医薬上許容可能な担体、少なくとも1つの抗ブドウ球菌薬、グラム陽性細菌のリポテイコ酸（LTA）に結合する少なくとも1つのMAb、またはその組合せをさらに含む、請求項1に記載の医薬。
【請求項６】
少なくとも1つのMAbが、患者の鼻孔への点滴注入時にグラム陽性細菌によるコロニー形成を阻止する、請求項1に記載の医薬。
【請求項７】
少なくとも1つのMAbが、黄色ブドウ球菌（Staphylococcus aureus）、表皮ブドウ球菌（Staphylococcus epidermidis）、ストレプトコッカス・ミュータンス（Streptococus mutans）、枯草菌（Bacillus subtilis）、バチルス・メガテリウム（Bacillus megaterium）、エンテロコッカス・ファエカリス（Enterococcus faecalis）およびリステリア・モノサイトゲネス（Listeria monocytogenes）から選択されたグラム陽性細菌のPepGと特異的に結合する、請求項1に記載の医薬。
【請求項８】
少なくとも1つのMAbが、MAB-11-232.3、MAB-11-248.2、MAB-11-569.3、MAB-11-232.3 IE9、MAb-99-110FC12 IE4、A130およびM130から選択される、請求項1に記載の医薬。
【請求項９】
少なくとも1つのMAbが、配列番号1および3から選択されたアミノ酸配列を有するポリペプチドを含む可変領域を含む、請求項1に記載の医薬。
【請求項１０】
少なくとも1つのMAbが、配列番号1および3から選択されたアミノ酸配列と少なくとも80％の同一性を有するポリペプチドを含む可変領域を含む、請求項1に記載の医薬。
【請求項１１】
少なくとも1つのMAbが、キメラMAb、ヒト化MAbおよびヒトMAbから選択される、請求項1に記載の医薬。
【請求項１２】
少なくとも1つのMAbが、改変されたFc部分を含み、該改変によって、該Fc部分を介する該Mabの非特異的結合が低減される、請求項1に記載の医薬。
【請求項１３】
少なくとも1つのMAbが、Fab、Fab'、F(ab')2、Fv、SFvおよびSCFVから選択される、請求項1に記載の医薬。
【請求項１４】
治療上有効量を投与することにより患者を治療するための医薬の製造における、請求項1に記載のMAbの使用。
【請求項１５】
前記患者が、入院中の乳幼児、早産児、火傷被害者、高齢の患者、免疫無防備状態の患者、免疫抑制状態の患者、侵襲性の処置を受けている患者または保健医療従事者から選択される、請求項14に記載の使用。
【請求項１６】
防御性モノクローナル抗体を、静脈内、腹腔内、体内注射、間接内、心室内、クモ膜下内、筋肉内、皮下、鼻腔内、膣内および経口から選択された経路によって投与する、請求項14に記載の使用。
【請求項１７】
ATCCに受託番号PTA-2492またはPTA-3659で寄託されているハイブリドーマ細胞。
【請求項１８】
医薬上許容可能な担体中に、少なくとも1つの精製PepG、ペプチド、その断片またはエピトープを含むワクチン。
【請求項１９】
治療上有効量を投与することにより患者にワクチン接種の効果を提供するための医薬の製造における、少なくとも1つの精製PepG、ペプチド、その断片またはエピトープの使用。
【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
心不整脈を予防または治療するための薬剤組成物であって、有効量のバノキセリン、あるいはその薬剤として許容される塩、誘導体、または代謝産物を含むことを特徴とする薬剤組成物。
【請求項２】
バノキセリンの薬剤として許容される塩を含むことを特徴とする請求項１に記載の薬剤組成物。
【請求項３】
前記薬剤として許容される塩が、塩酸、臭化水素酸、硫酸、スルファミン酸、リン酸、硝酸、酢酸、プロピオン酸、コハク酸、グリコール酸、ステアリン酸、乳酸、リンゴ酸、酒石酸、クエン酸、アスコルビン酸、パモ酸、マレイン酸、ヒドロキシマレイン酸、フェニル酢酸、安息香酸、サリチル酸、スルファニル酸、２−アセトキシ安息香酸、フマル酸、トルエンスルホン酸、メタンスルホン酸、エタンジスルホン酸、シュウ酸、イセチオン酸、トリフルオロ酢酸、グルタミン酸、およびアスパラギン酸から誘導された塩からなる群から選択されることを特徴とする請求項２に記載の薬剤組成物。
【請求項４】
バノキセリンの薬剤として許容される誘導体を含むことを特徴とする請求項１に記載の薬剤組成物。
【請求項５】
前記バノキセリンの薬剤として許容される誘導体が、下式の化合物、またはその薬剤として許容される塩であることを特徴とする請求項４に記載の薬剤組成物。
【化１】
2005524646.tif 000001
［式中、Ｘは、ヒドロキシ、Ｃ1~4アルコキシ、フェニルカルバモイルオキシ、またはＣ1~4アルキルカルバモイルオキシ基であり、Ｙは、水素原子、またはＣ1~3アルキル基であり、あるいはＸとＹは、それらが結合している炭素原子と共にカルボニル基を形成する］
【請求項６】
前記バノキセリンの薬剤として許容される誘導体が、バノキセリンのフェノール誘導体、またはそのメトキシ同族体、あるいはその薬剤として許容される塩であることを特徴とする請求項４に記載の薬剤組成物。
【請求項７】
前記バノキセリンの薬剤として許容される誘導体が、ＧＢＲ１３０６９、またはＧＢＲ１２７８３、あるいはその薬剤として許容される塩であることを特徴とする請求項４に記載の薬剤組成物。
【請求項８】
前記バノキセリンが、薬剤として許容される担体またはビヒクルと組み合わせて含まれることを特徴とする請求項１に記載の薬剤組成物。
【請求項９】
哺乳動物細胞に接触する際に該哺乳動物細胞のイオンチャネルの活性を調節する薬剤組成物であって、有効量のバノキセリン、あるいはその薬剤として許容される塩、誘導体、または代謝産物を含むことを特徴とする薬剤組成物。
【請求項１０】
前記イオンチャネルが、心臓カリウムイオンチャネル、心臓カルシウムイオンチャネル、および心臓ナトリウムイオンチャネルであることを特徴とする請求項９に記載の薬剤組成物。
【請求項１１】
前記心臓カリウムイオンチャネルがＩKrを生じ、前記カルシウムイオンチャネルがＩCaを生じ、前記ナトリウムイオンチャネルがＩNaを生じることを特徴とする請求項１０に記載の薬剤組成物。
【請求項１２】
前記哺乳動物細胞が、ヒト心筋細胞であることを特徴とする請求項９に記載の薬剤組成物。
【請求項１３】
ＩKrまたはｈＥＲＧに結合する化合物をスクリーニングする方法であって、
（ｉ）ＩKrまたはｈＥＲＧを安定に発現する哺乳動物細胞を、標識バノキセリン、あるいはその薬剤として許容される塩、誘導体、または代謝産物と接触させ、標識結合対を形成する段階、
（ｉｉ）前記標識結合対を、対象となる化合物と接触させる段階、および
（ｉｉｉ）前記対象となる化合物が、前記標識バノキセリン、あるいはその薬剤として許容される塩、誘導体、または代謝産物を置換しているかどうかを判定する段階
を含むことを特徴とする方法。
【手続補正２】
【補正対象書類名】明細書
【補正対象項目名】発明の名称
【補正方法】変更
【補正の内容】
【発明の名称】心不整脈を予防または治療するための薬剤組成物
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
担体ペプチドのＣ末端に共有結合したヒドロコドン及びオキシコドンから選択されるオピオイドを含む医薬組成物であって、
前記担体ペプチドが１０個未満のアミノ酸を含む医薬組成物。
【請求項２】
前記医薬組成物は、吸入又は注射した際、放出に対して抵抗性がある経口投与に適し、経口投与後に放出される、請求項１に記載の組成物。
【請求項３】
前記担体ペプチドは、６個のアミノ酸を含む、請求項１又は２に記載の組成物。
【請求項４】
前記担体ペプチドは、５個のアミノ酸を含む、請求項１ないし３のうち何れか一項に記載の組成物。
【請求項５】
前記担体ペプチドは、４個のアミノ酸を含む、請求項１ないし４のうち何れか一項に記載の組成物。
【請求項６】
前記担体ペプチドは、３個のアミノ酸を含む、請求項１ないし５のうち何れか一項に記載の組成物。
【請求項７】
前記担体ペプチドは、２個のアミノ酸を含む、請求項１ないし６のうち何れか一項に記載の組成物。
【請求項８】
前記担体ペプチドが、式ＸＸＸＡＡ又はＸＸＡＡＡを有し、ここで、Ｘは、Ａｒｇ，Ｌｙｓ，Ｈｉｓ，Ｐｒｏ及びＭｅｔ以外の任意のアミノ酸から選択され、ＡはＴｙｒ，Ｐｈｅ，Ｔｒｐ又はＬｅｕから選択される、請求項１、２又は４のうち何れか一項に記載の組成物。
【請求項９】
前記オピオイドは、アミノ酸に結合している、請求項１に記載の組成物。
【請求項１０】
治療効果を得るが、実質的な陶酔効果を得ないように、患者にオピオイドを送達する経口投与医薬の製造のための、請求項１ないし９のうち何れか一項に記載の組成物の使用。
【請求項１１】
疼痛の治療のため、患者にオピオイドを送達する経口投与医薬の製造のための、請求項１ないし９のうち何れか一項に記載の組成物の使用。
【請求項１２】
担体ペプチドのＣ末端に共有結合したオピオイドを含む医薬組成物であって、
前記担体ペプチドは、１０個未満のアミノ酸を含む医薬組成物。
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
互いに整列する複数の第１のストラップと、互いに整列する複数の第２のストラップとを有し、第１のストラップと第２のストラップが協働して燃料棒を支持する複数のセルを画定するグリッドと、
実質的に平らな第１の表面と、その反対側の実質的に平らな第２の表面とを有し、第１と第２の表面間を延びる複数の第１の流孔及び複数の第２の流孔が形成された破片をろ過するプレート部材とより成り、
複数の第１の流孔の断面は長軸及び短軸を有する長円形であり、
第１の表面はグリッドに隣接する位置にあり、
プレート部材は流孔間に画定された複数の支持結合部を有し、
第１の流孔は複数の支持結合部のうちの少なくとも１つが４つの第１の流孔間に画定されるように配置され、これら４つの第１の流孔の長軸は支持結合部の中心点から半径方向外方へ延び、４つの第１の流孔はそれぞれ第１及び第２のストラップの直上にある原子炉の燃料集合体。
【請求項２】
第１の流孔の第１の部分の長軸と第１の流孔の第２の部分の長軸とは実質的に垂直である請求項１の燃料集合体。
【請求項３】
第１の流孔は、その少なくとも一部の長軸及び短軸のうちの１つが第１及び第２のストラップのうちの１つと重合関係になるようにプレート部材に配置されている請求項１の燃料集合体。
【請求項４】
第１の流孔は、その第１の部分の短軸が第１のストラップと重合関係となるように、またその第２の部分の短軸が第２のストラップと重合関係となるようにプレート部材に配置されている請求項３の燃料集合体。
【請求項５】
第１の流孔はそれぞれ一対の弓状端部を有する請求項１の燃料集合体。
【請求項６】
第１の流孔の断面は卵形である請求項５の燃料集合体。
【請求項７】
複数の第１の流孔及び複数の第２の流孔のうちの少なくとも１つの流孔の少なくとも一部は第２の表面に隣接する面取り部を有する請求項１の燃料集合体。
【請求項８】
第２の流孔は、少なくとも１つが第１のストラップのうちの１つと第２のストラップのうちの１つの間の交差部と実質的に重合関係となるようにプレート部材に配置されている請求項１の燃料集合体。
【請求項９】
互いに整列する複数の第１のストラップと、互いに整列する複数の第２のストラップとを有するグリッドと、複数の燃料棒とを備え、第１のストラップと、第２のストラップが協働して燃料棒を支持する複数のセルを画定する、原子炉燃料集合体用の破片をろ過するノズルであって、
ノズルはグリッドに隣接する実質的に平らな第１の表面と、その反対側の実質的に平らな第２の表面とを有するプレート部材を備え、  プレート部材には第１と第２の表面間を延びる第１の複数の流孔及び第２の複数の流孔が形成され、
第１の複数の流孔は断面が長軸及び短軸を有する長円形であり、
プレート部材は流孔間に画定された複数の支持結合部を有し、
第１の流孔は複数の支持結合部のうちの少なくとも１つが４つの第１の流孔間に画定されるように配置され、これら４つの第１の流孔の長軸は支持結合部の中心点から半径方向外方へ延びるノズル。
【手続補正書】
【提出日】平成18年4月27日(2006.4.27)
【手続補正１】
【補正対象書類名】明細書
【補正対象項目名】００２５
【補正方法】変更
【補正の内容】
【００２５】
図３を参照すると、酸素２０％に対してキセノン８０％の比率のキセノン/酸素混合物は、容器１２１のフレッシュガススペース１１９中のキセノン/酸素供給物からキセノン質量流量コントローラー（ＭＦＣ）１２３を経由して装置（一般に１０１と指示されている）のメイン回路１０２に供給される。容器１２１は、図１に参照され且つ描写された上記に説明されたとおりである。
メイン回路１０２の酸素含有量は、酸素シリンダー１２５からレギュレーター１２７及び酸素質量流量コントローラー（ＭＦＣ）を経由して上積みされる。
一つまたはそれ以上の（好ましくは４）膜ポンプ１１７が、１５０ミリバールゲージ（１５Ｋパスカル）に達する圧力で１分当たり２０リットル（ｌ/min）に至るまでの速度で回路１０２にキセノン/酸素混合物を押し出している。
【手続補正２】
【補正対象書類名】明細書
【補正対象項目名】００２８
【補正方法】変更
【補正の内容】
【００２８】
セットされた圧力でのガスの一定の流量が酸素処理装置１０３に供給され且つこのように患者の血液に使用可能にされるということを確実にするために、ガスは、医療機器供給導管１０５に対する放出口から下流の圧力保持バルブ１４１を経由してメイン回路１０２を通って循環している。圧力保持バルブ１４１は、圧力が予め決められたレベル、例えば３０ｍbarg（３ＫＰa）を超える場合のみガスの流れを許容するバルブであり、従ってポンプ１１７とバルブ１４１との間で一定圧力を維持している。
【手続補正３】
【補正対象書類名】図面
【補正対象項目名】図３
【補正方法】変更
【補正の内容】
【図３】
2005524036.tif 000001
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
第１の媒体回路（Ｉ）と、少なくとも部分的に熱伝導性の壁部（２８）を介して前記第１の媒体回路に熱的に連結された第２の媒体回路（ＩＩ）と具備しており、２つの媒体が、前記２つの回路を通って逆方向に流れることができ、
前記熱伝導壁部（２８）は、少なくとも一次媒体における熱伝達のための少なくとも活性の帯域の位置で、なくとも熱境界層、層流境界層および相対湿度境界層を破断するための破断手段（３２，３３）を有しており、この破断手段（３２、３３）は、前記壁部（２８）の有効熱伝導表面積を拡大する複数の熱伝導突出部を有し、
前記熱伝導突出部の熱伝導表面は、少なくとも第２の媒体回路（ＩＩ）の領域において、液体を保持しかつ蒸発により再び放出するための親水性の皮膜で少なくとも部分的に覆われており、また
二次媒体の領域において皮膜を蒸発性液体により湿潤するための湿潤手段（３６）をさらに具備し、
全壁部の熱伝導係数は最小で１Ｗ／ｍ２Ｋに達する、冷却装置（２０）。
【請求項２】
一次媒体用の、圧力差に基づいた一次押込み手段（２７）、例えば、ファンまたはポンプを更に具備している、請求項１に記載の冷却装置。
【請求項３】
二次媒体用の、圧力差に基づいた二次押込み手段（３０）、例えば、ファンを更に具備している、請求項２に記載の冷却装置。
【請求項４】
前記皮膜は、多孔性工業的セラミック材料、例えば、焼成層、ポルトランドセメントのようなセメント、または繊維状材料、例えば、岩ウールのような鉱物ウールよりなる、請求項１ないし３のうちのいずれか１つの項に記載の冷却装置。
【請求項５】
前記二次媒体の流れは、前記一次媒体の流れの端部で分流され、例えば、前記一次媒体の流れの約３０％の値を有する部分流れである、請求項１ないし４のうちのいずれか１つの項に記載の冷却装置。
【請求項６】
前記皮膜は、プラスチックよりなる、請求項１ないし５のうちのいずれか１つの項に記載の冷却装置。
【請求項７】
液体が蒸発することができる前記皮膜の有効外表面積は、これの投射表面積より少なくとも１００ｘ、好ましくは少なくとも１０００ｘ大きい、請求項１ないし６のうちのいずれか１つの項に記載の冷却装置。
【請求項８】
二次流れにおいて露点が１℃以内に近似されるような値を前記媒体の流量が有するように、冷却装置が寸法決めされている、請求項１ないし７のうちのいずれか１つの項に記載の冷却装置。
【請求項９】
前記突出部は、複数のフィンを有し（５４、５５、５６、５７）、これらフィンは、各々が一般的な波形状を有する複数のストリップとして具現化されており、これらのストリップの各々の連続波頂部は、一方の側で壁部（５１，５２，５３）に連結されており、また、前記皮膜は、実質的に、壁部から遠い方の各ストリップの表面にのみ配置されている、請求項１ないし９のうちのいずれか１つの項に記載の冷却装置。
【請求項１０】
前記皮膜の特性と液体の特性とは、
（a）前記壁部および突出部の表面積単位あたり、所定量の液体が皮膜において緩衝されることができ、
（ｂ）液体が満たされた皮膜の耐熱度が、熱伝導壁部とフローバイ二次媒体との間の経路における全耐熱度に対して皮膜の主平面の横方向に無視できるほどであるように、
互いに関連して選択される、請求項７に記載の冷却装置。
【請求項１１】
前記突出部は、相互にずれた関係を有している、請求項１ないし１０のうちのいずれか１つの項に記載の冷却装置。
【請求項１２】
前記突出部は、熱伝達を高める流れ方向における限られた長さを有している、請求項１ないし１１のうちのいずれか１つの項に記載の冷却装置。
【請求項１３】
前記突出部は、流れ方向における熱交換器の押込み温度差が除去されないように、かなり小さい熱伝導性を有する部分（５８，５８’）により流れ方向に分離されている、請求項１ないし１２のうちのいずれか１つの項に記載の冷却装置。
【請求項１４】
前記突出部は、ルーバー（６１）を備えたフィン（５４ないし５７）よりなる、請求項１ないし１３のうちのいずれか１つの項に記載の冷却装置。
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
経路に沿って移動する気体の流れの中に含まれている粒子を検出するための連続流装置において、
液体状の作動流体の供給源と、
蒸気状の前記作動流体を前記気体の流れに供給するための、前記経路に沿って配置されている飽和手段であって、前記作動流体の供給源と流体連通していて、前記気体の流れが通過する多孔性金属を含んでいる飽和手段と、
前記作動流体と接触するように前記加熱された金属ブロックから延びている前記多孔性金属を加熱するために、前記多孔性金属と熱接触して前記作動流体とは離間している加熱された金属ブロックと、
前記粒子上に蒸気を凝結させ、前記気体の流れの中に液滴を形成させるための、前記気体の流れの経路に沿って前記飽和手段の下流に配置されている冷却手段と、
前記液滴を検出するための、前記冷却手段の下流に配置されている感知器と、を備えている装置。
【請求項２】
前記多孔性金属は、直径が５００μｍより小さい孔を有している、請求項１に記載の装置。
【請求項３】
気体の流れの中の粒子を検出するための連続流装置において、
経路に沿って流れとなって移動する、微粒子と水蒸気を含んでいる気体サンプルの供給源と、
液体状の作動流体の流体供給源と、
前記経路に沿う通路を備えており、前記流体供給源と流体連通しており、作動流体の蒸気を前記気体に供給するように作動することができる飽和器と、
前記蒸気を前記気体の流れの中の粒子上に凝結させて液滴を形成させるために、前記経路に沿って前記飽和器の下流に配置されている冷却器と、
凝結した作動流体と水蒸気を集めるための前記冷却器に近接している収集器と、
前記液滴を検出するための、前記冷却器の下流に配置されている感知器と、を備えている装置。
【請求項４】
前記飽和器は、内部空間を画定する壁を有している多孔性材料と、前記内部空間に侵入する気体の噴流を形成するために気体の流れが通過するオリフィスと、を含んでいる、請求項３に記載の連続流装置。
【請求項５】
前記冷却器は、低温の壁を有するチャンバと、前記気体の流れが前記チャンバ内に入るための入口オリフィスとを備えており、前記入口オリフィスは、前記チャンバの前記内部空間に侵入する気体の噴流を提供する、請求項４に記載の連続流装置。
【請求項６】
気体の流れの中の粒子を検出するための連続流装置において、
微細粒子を含む気体サンプルを、直列に接続された第１、第２及び第３通路に沿って、流れとして引き出す流れ誘起装置と、
液体状の作動流体の流体供給源と、
前記気体の流れが前記第１通路に沿って移動する間に、前記気体サンプルを選択された温度に加熱するヒーターと、
前記気体の流れを前記第１経路から受け入れるために接続されている前記第２通路を有しており、前記気体の流れが前記第２通路を通って移動する際に前記気体の流れに作動流体の蒸気を供給するために前記作動流体と液体連通する加熱された要素を有する飽和器と、
前記気体の流れを前記第２通路から受け入れて、前記気体の流れの中の粒子上に蒸気を凝結させて液滴を形成させるための前記第３経路を有している冷却器と、を備えている装置。
【請求項７】
前記第２通路内に気体噴流を形成するために、前記第１通路と前記第２通路の間にオリフィスが配置されている、請求項６に記載の連続流装置。
【請求項８】
前記飽和器は前記第２通路を形成する管を備えており、前記管は多孔性であり、一部が前記作動流体供給源内にあり、前記飽和器の孔は、前記第２通路の表面への、前記作動流体の液体の毛管運動を引き起こす、請求項７に記載の連続流装置。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
物体を所定波長の光で照射して、蛍光を生じさせる照射手段と、
前記物体から発せられた蛍光信号を検出する検出手段と、
前記検出手段で検出された前記蛍光信号を処理する信号処理手段とを備え、
励起光路と検出光路とを有する光学系を形成して前記蛍光信号を読み取る装置であって、
前記照射手段は、発光ダイオードであり、前記照射手段は、前記物体の全体若しくは要部を同時に照射することを特徴とする装置。
【請求項２】
前記発光ダイオードから照射された光が前記物体に到達する前に、前記光から長波長帯域の光を除去する励起フィルタが、前記励起光路に設けられている
ことを特徴とする請求項１に記載の装置。
【請求項３】
前記励起フィルタは、低帯域干渉フィルタである
ことを特徴とする請求項２に記載の装置。
【請求項４】
前記物体による直接反射光を除去する照射帯域フィルタが、前記検出光路に設けられている
ことを特徴とする請求項１乃至請求項３のうちの何れか一項に記載の装置。
【請求項５】
前記物体は、ほぼ平坦な面に載置されている
ことを特徴とする請求項１乃至請求項４のうちの何れか一項に記載の装置。
【請求項６】
前記ほぼ平坦な面は、ガラススライドである
ことを特徴とする請求項５に記載の装置。
【請求項７】
前記励起光路において、前記光の入射偏光に対して垂直となるように設けられた第１偏光フィルタを備える
ことを特徴とする請求項１乃至請求項６のうちの何れか一項に記載の装置。
【請求項８】
前記検出光路に設けられた第２偏光フィルタをさらに備え、前記第２偏光フィルタは、前記第１偏光フィルタの偏光方向と、前記第２偏光フィルタの偏光方向とが互いに直交するように設定されている
ことを特徴とする請求項７に記載の装置。
【請求項９】
前記励起光路と前記検出光路の両方に亘って位置する偏光ビームスプリッタをさらに備える
ことを特徴とする請求項１乃至請求項６のうちの何れか一項に記載の装置。
【請求項１０】
前記信号処理手段は、位相検波器を含む
ことを特徴とする請求項１乃至請求項９のうちの何れか一項に記載の装置。
【請求項１１】
発蛍光団と結合した物体の試料から発せられる信号を分析する方法であって、
前記試料に所定波長の光を照射して、前記試料に蛍光を生じさせる段階と、
前記試料に前記光が照射されたときに、前記試料から発せられた蛍光信号を検出する段階と、
検出された蛍光信号を分析する段階とを有し、
前記試料は、発光ダイオードからの光を照射され、前記物体の全部若しくは要部が同時に照射されることを特徴とする方法。
【請求項１２】
請求項１乃至請求項１０に記載された装置のうちの何れか一つの装置を用いて、発蛍光団と結合された物体の試料から発せられる信号を分析する方法。